(57)【要約】【課題】印刷版ストック装置のコンベア排出方向の設置スペースをコンパクトにし、かつコストの低廉化および省エネルギー化を図ることができる印刷版ストック装置を提供する。【解決手段】印刷版Pを搬送するコンベアXの下流に、印刷面を上向きにしてほぼ水平に排出される印刷版を下方から沿わせて受け取るように斜め下方に向かって凸状に湾曲する受け取り面121を上部に有するとともに、この受け取り面から連続的に下方に向かって凸状に湾曲する案内面122を下部に有する受け取り部材12と、コンベアから排出される印刷版の先端を当接させるように受け取り部材の案内面と所定間隔隔てて対峙する対峙面131を有するとともに、この対峙面に先端が当接した印刷版をその自重により案内面に沿わせながら上記対峙面に立てかけた状態で集積する集積部132を対峙面の下端に有する集積部材13とを設けている。【選択図】        図１
2005067768.tif 000002
【特許請求の範囲】
【請求項１】
印刷版を搬送するコンベアの下流に配置され、印刷面を上向きにして排出された印刷版を受け取ってストックする印刷版ストック装置であって、
上記コンベアからほぼ水平に排出される印刷版を下方から沿わせて受け取るように斜め下方に向かって凸状に湾曲する受け取り面を上部に有するとともに、この受け取り面の下端から連続的に下方に向かって凸状に湾曲する案内面を下部に有する受け取り部材と、
上記コンベアから排出される印刷版の先端を当接させるように上記受け取り部材の案内面と所定間隔隔てて対峙する対峙面を有するとともに、この対峙面に先端が当接した印刷版をその自重により案内面に沿わせながら上記対峙面に立てかけた状態で集積する集積部を上記対峙面の下端に有する集積部材と
を備えていることを特徴とする印刷版ストック装置。
【請求項２】
上記請求項１に記載の印刷版ストック装置において、
受け取り部材は、印刷版ストック装置本体に対し印刷版の排出方向と直行する方向に延びる回転支点回りに回転自在に支持され、コンベアより排出される印刷版の排出方向長さまたは厚みに応じて該印刷版を沿わせる受け取り面の受け取り角度が変更されるようになっていることを特徴とする印刷版ストック装置。
【請求項３】
上記請求項１または請求項２に記載の印刷版ストック装置において、
集積部は、集積部材の対峙面に対し上下方向に移動自在に支持され、コンベアより排出される印刷版の排出方向長さに応じて高さ位置が変更されるようになっていることを特徴とする印刷版ストック装置。
【請求項４】
上記請求項１ないし請求項３のいずれか１つに記載の印刷版ストック装置において、
集積部材の対峙面の下端部には、集積部に受け取られた印刷版を対峙面に積極的に沿わせるように湾曲する湾曲部が設けられていることを特徴とする印刷版ストック装置。
【請求項５】
上記請求項１ないし請求項４のいずれか１つに記載の印刷版ストック装置において、
印刷版ストック装置本体の下面には、この印刷版ストック装置本体自体を転動自在とする滑車が設けられていることを特徴とする印刷版ストック装置。
【発明の詳細な説明】
【技術分野】
【０００１】
本発明は、印刷版ストック装置に関し、詳しくは、ＣＴＰ版生産ライン等において生産されてからコンベアで搬送されてきた印刷版を立てかけた状態で集積するものに係わる。
【背景技術】
【０００２】
従来、この種印刷版ストック装置としては、ＣＴＰ版生産ラインにおいて露光し現像処理された後にコンベアで搬送されてきたＣＴＰ版をそのコンベアの下流側においてそのままほぼ水平な状態で受け取ってから垂直（コンベアによるの搬送方向に対して垂直）を少し越えた位置まで旋回させる印刷版旋回手段と、この印刷版旋回手段から受け取ったＣＴＰ版を背板に斜めに立てかけた状態で支持する印刷版支持手段とを備えたものが知られている（例えば、特許文献１参照）。
【０００３】
この場合、印刷版旋回手段は、コンベアから排出されたＣＴＰ版が受渡される受渡し台を備えているとともに、この受渡し台をコンベアのＣＴＰ版支持面とほぼ一致する水平位置から垂直を少し越えた位置まで旋回させる受渡し台駆動手段を備えている。
【特許文献１】特開２００２−１９３５２９号公報
【発明の開示】
【発明が解決しようとする課題】
【０００４】
ところが、上記従来のものでは、コンベアから排出されたＣＴＰ版などの印刷版がほぼ水平な状態で受渡し台上に受け渡されるため、コンベア下流側においてコンベアの搬送方向（排出方向）に非常に長いスペース、つまり受渡し台（印刷版）のコンベア排出方向長さ分といった非常に長いスペースを要し、印刷版ストック装置の設置スペースが非常に大きなものとなる。
【０００５】
また、受渡し台を旋回させる上で受渡し台駆動手段を必要とするため、構造が複雑となってコストが嵩む上、駆動源を要して省エネルギー化を図ることができない。
【０００６】
本発明は、かかる点に鑑みてなされたものであり、その目的とするところは、印刷版ストック装置のコンベア排出方向の設置スペースをコンパクトにし、かつコストの低廉化および省エネルギー化を図ることができる印刷版ストック装置を提供することにある。
【課題を解決するための手段】
【０００７】
上記目的を達成するため、請求項１に係わる発明が講じた解決手段は、印刷版を搬送するコンベアの下流に配置され、印刷面を上向きにして排出された印刷版を受け取ってストックする印刷版ストック装置を前提とする。そして、上記コンベアからほぼ水平に排出される印刷版を下方から沿わせて受け取るように斜め下方に向かって凸状に湾曲する受け取り面を上部に有するとともに、この受け取り面から連続的に下方に向かって凸状に湾曲する案内面を下部に有する受け取り部材と、上記コンベアから排出される印刷版の先端を当接させるように上記受け取り部材の案内面と所定間隔隔てて対峙する対峙面を有するとともに、この対峙面に先端が当接した印刷版をその自重により案内面に沿わせながら上記対峙面に立てかけた状態で集積する集積部を上記対峙面の下端に有する集積部材とを設けている。
【０００８】
この特定事項により、コンベアからほぼ水平に排出された印刷版は、受け取り部材に対し斜め下方に向かって凸状に湾曲する受け取り面上に沿わせた状態で受け取られ、コンベアから排出される印刷版の先端が集積部材の対峙面に当接すると、上記受け取り部材の案内面に沿いながら上記対峙面との間を通って自重により下方に案内され、対峙面に立てかけられた状態で集積部に支持される。そして、次にコンベアから排出された印刷版は、同様に受け取り部材の受け取り面上に沿わせた状態で受け取られ、先に対峙面に立てかけた状態で支持されている印刷版の反印刷側面に次の印刷版の先端が当接すると、上記受け取り部材の案内面に沿いながら上記先の印刷版の反印刷側面（対峙面）との間を通って自重により下方に案内され、先の印刷版の反印刷側面（対峙面）に立てかけた状態で集積部に支持されて順次集積されることになる。
【０００９】
これにより、コンベアから排出された印刷版がほぼ水平な状態で受渡し台上に受け渡されるもののように、コンベア下流側において受渡し台（印刷版）のコンベア排出方向長さ分といった非常に長いスペースを必要とはせず、印刷版が受け取り面の斜め下方への湾曲に沿って受け取られるために受け取り部材のコンベア排出方向長さが短いものとなり、印刷版ストック装置の設置スペースのコンパクト化を図ることが可能となる。
【００１０】
加えて、コンベアから排出された印刷版は、その先端が集積部材の対峙面に当接すると、自重によって案内面に沿いながら対峙面との間を通って下方に案内されて、対峙面に立てかけた状態で集積部に支持されることにより、受渡し台を旋回させるもののように受渡し台駆動手段などの駆動源を必要とはせず、構造が簡単になってコストの低廉化を図ることが可能となる上、省エネルギー化を図ることが可能となる。
【００１１】
請求項２に記載の発明が講じた解決手段では、受け取り部材を、印刷版ストック装置本体に対し印刷版の排出方向と直行する方向に延びる回転支点回りに回転自在に支持し、コンベアより排出される印刷版の排出方向長さまたは厚みに応じて該印刷版を沿わせる受け取り面の受け取り角度を変更させるようにしている。
【００１２】
この特定事項により、コンベアより排出される印刷版の排出方向長さが長い場合または印刷版の厚みが厚い場合には、受け取り面の受け取り角度を下向きに変更するように受け取り部材を回転支点回りに回転させることによって、次にコンベアから排出された印刷版が受け取り部材の受け取り面上に沿った状態で受け取られると、先に対峙面に立てかけた状態で支持されている印刷版の反印刷側面に次の印刷版の先端が確実に当接することになり、受け取り部材の案内面に沿いながら上記先の印刷版の反印刷側面（対峙面）との間を通って自重により下方に案内されて、先の印刷版の反印刷側面（対峙面）に立てかけた状態で集積部に支持されて円滑に集積されることになる。この場合、受け取り面の受け取り角度を上向きに変更するように受け取り部材を回転支点回りに回転させることによって、受け取り部材の案内面と集積部材の対峙面との間隔が狭くなるものの、厚みの薄い印刷版が対峙面に立てかけられた状態で円滑に集積部に集積されることになる。
【００１３】
一方、コンベアより排出される印刷版の排出方向長さが短い場合または印刷版の厚みが薄い場合には、受け取り面の受け取り角度を上向きに変更するように受け取り部材を回転支点回りに回転させることによって、次にコンベアから排出された印刷版が受け取り部材の受け取り面上に沿った状態で受け取られると、先に対峙面に立てかけた状態で支持されている印刷版の反印刷側面に次の印刷版の先端が確実に当接することになり、受け取り部材の案内面に沿いながら上記先の印刷版の反印刷側面との間を通って自重により下方に案内されて、先の印刷版の反印刷側面に立てかけた状態で集積部に支持されて円滑に集積されることになる。この場合、受け取り面の受け取り角度を下向きに変更するように受け取り部材を回転支点回りに回転させることによって、受け取り部材の案内面と集積部材の対峙面との間隔が広くなり、厚みの厚い印刷版が対峙面に立てかけられた状態で円滑に集積部に集積されることになる。
【００１４】
請求項３に係わる発明では、集積部を、集積部材の対峙面に対し上下方向に移動自在に支持し、コンベアより排出される印刷版の排出方向長さに応じて高さ位置を変更させるようにしている。
【００１５】
この特定事項により、コンベアより排出される印刷版の排出方向長さが長い場合には、集積部の高さ位置を低く変更するように集積部材の対峙面に対し下方に移動させることによって、次にコンベアから排出された印刷版が受け取り部材の受け取り面上に沿った状態で受け取られると、先に対峙面に立てかけた状態で支持されている印刷版の反印刷側面に次の印刷版の先端が確実に当接することになり、受け取り部材の案内面に沿いながら上記先の印刷版の反印刷側面（対峙面）との間を通って自重により下方に案内されて、先の印刷版の反印刷側面（対峙面）に立てかけた状態で集積部に支持されて円滑に集積されることになる。
【００１６】
一方、コンベアより排出される印刷版の排出方向長さが短い場合には、集積部の高さ位置を高く変更するように集積部材の対峙面に対し上方に移動させることによって、次にコンベアから排出された印刷版が受け取り部材の受け取り面上に沿った状態で受け取られると、先に対峙面に立てかけた状態で支持されている印刷版の反印刷側面に次の印刷版の先端が確実に当接することになり、受け取り部材の案内面に沿いながら上記先の印刷版の反印刷側面との間を通って自重により下方に案内されて、先の印刷版の反印刷側面に立てかけた状態で集積部に支持されて円滑に集積されることになる。この場合、集積部の高さ位置を高く変更するように集積部を上方に移動させることによって、先に対峙面に立てかけた状態で支持されている印刷版の反印刷側面に受け取り面上で撓み難い厚い印刷版の先端が確実に当接することになる。
【００１７】
請求項４に係わる発明では、集積部に受け取られた印刷版を対峙面に沿わせるように湾曲する湾曲部を集積部材の対峙面の下端部に設けている。
【００１８】
この特定事項により、集積部に受け取られた印刷版は、対峙面下端部の湾曲部によって対峙面に沿って倒れ込むように立てかけられた状態で集積部に効率よく集積されることになる。
【００１９】
更に、請求項５に係わる発明では、印刷版ストック装置本体自体を転動自在とする滑車を印刷版ストック装置本体の下面に設けている。
【００２０】
この特定事項により、集積部に集積された印刷版を台車などに載せ替えて移動させる必要がなく、印刷版ストック装置本体自体を印刷現場など所望する場所にそのまま移動させることが可能となる。
【発明の効果】
【００２１】
以上、要するに、コンベアからほぼ水平に排出された印刷版を、斜め下方に湾曲する受け取り面上に沿わせた状態で受け取り、その先端が集積部材の対峙面に当接すると、受け取り部材の案内面に沿いながら対峙面との間を通って自重により下方に案内して、対峙面に立てかけた状態で集積部に支持することで、それ以降コンベアから排出される印刷版も、先に対峙面に立てかけた状態で支持されている印刷版の反印刷側面に先端が当接すると、受け取り部材の案内面に沿いながら上記先の印刷版の反印刷側面との間を通って自重により下方に案内されて、先の印刷版の反印刷側面に立てかけた状態で集積部に順次集積されることになり、コンベア下流側においてコンベア排出方向に長いスペースを必要とせず、印刷版が受け取り面の斜め下方への湾曲によって受け取り部材のコンベア排出方向長さを短くでき、印刷版ストック装置の設置スペースのコンパクト化を図ることができる。しかも、コンベアから排出された印刷版の先端を集積部材の対峙面に当接させて自重により案内面に沿わせながら対峙面との間を通って下方に案内して、対峙面に立てかけた状態で集積部に支持することにより、受渡し台を旋回させるもののような駆動源を必要とせず、構造を簡単にしてコストの低廉化を図ることができる上、省エネルギー化を図ることもできる。
【発明を実施するための最良の形態】
【００２２】
以下、本発明を実施するための最良の形態について説明する。
【００２３】
本発明の実施例に係る印刷版ストック装置は、印刷版を搬送するコンベアの下流に配置され、印刷面を上向きにしてコンベアからほぼ水平に排出される印刷版を下方から沿わせて受け取るように斜め下方に向かって凸状に湾曲する受け取り面を上部に有するとともに、この受け取り面の下端から連続的に下方に向かって凸状に湾曲する案内面を下部に有する受け取り部材と、上記コンベアから排出される印刷版の先端を当接させるように上記受け取り部材の案内面と所定間隔隔てて対峙する対峙面を有するとともに、この対峙面に先端が当接した印刷版をその自重により案内面に沿わせながら上記対峙面に立てかけた状態で集積する集積部を上記対峙面の下端に有する集積部材とを備えていることを基本構成とする。
【実施例】
【００２４】
以下、本発明の好適な実施例を図面に基づいて説明する。
【００２５】
図１は本発明の実施例に係る印刷版ストック装置の斜視図、図２および図３はその側面図および正面図である。
【００２６】
図１および図２において、ＰはＣＴＰ版やＰＳ版等の印刷版、Ｘはその印刷版Ｐを搬送するコンベア、１はコンベアＸの下流に設けられた印刷版ストック装置である。コンベアＸは、搬送方向上下端のローラＸａ（搬送方向下流端のもののみ示す）間に掛け渡された上下一対のベルトＸｂ，Ｘｂの間に印刷版Ｐを挟んで搬送するように構成されている。この場合、印刷版Ｐは、その印刷面を上向きにしてコンベアＸの上下のベルトＸｂ，Ｘｂ間からほぼ水平な状態で排出されるようになっている。
【００２７】
印刷版ストック装置１は、前後左右壁１１ａ，…によって周囲が囲まれた印刷版ストック装置本体１１と、この印刷版ストック装置本体１１内のコンベアＸ側（図１および図２では右側）に設けられ、コンベアＸからほぼ水平な状態で排出される印刷版Ｐを受け取る受け取り部材１２と、印刷版ストック装置本体１１内の反コンベアＸ側（図１および図２では左側）に設けられ、上記コンベアＸから排出される印刷版Ｐの先端を当接させて下方に集積する集積部材１３とを備えている。
【００２８】
上記印刷版ストック装置本体１１の下面四隅には、この印刷版ストック装置本体１１自体を転動自在とする滑車としてのキャスタ１１１，…が設けられている。これらキャスタ１１１のうち、反コンベアＸ側の左右のキャスタ１１１，１１１には、ストッパ機能が付けられており、コンベアＸの下流側においてコンベアＸから排出される印刷版を受け取る際には転動不能に固縛されるようになっている。なお、各キャスタ１１１は、印刷版ストック装置本体１１の下面に対し鉛直軸回りに回転自在に支持されている。
【００２９】
上記受け取り部材１２は、コンベアＸからほぼ水平な状態で排出される印刷版Ｐを下方から沿わせて受け取るように凸状に湾曲する受け取り面１２１を上部に備えている。この受け取り面１２１は、そのコンベアＸ側端が上下両ベルトＸｂ，Ｘｂ間よりも若干低い位置（例えば２０ｍｍ程度低い位置）に位置しており、印刷版Ｐの排出方向に行くに従い斜め下方に向かって下降している。また、上記受け取り部材１２は、受け取り面１２１の下端（印刷版Ｐの排出方向前端）から連続的に下方に向かって凸状に湾曲する案内面１２２を下部に備えている。この場合、受け取り面１２１は半径３００ｍｍの円弧により形成されている一方、案内面１２２は、上端部が半径２５０ｍｍの円弧、下端部が半径１７２ｍｍの円弧で形成されているとともに、この上下両端部の円弧を連続的に繋ぐ中央部が半径６００ｍｍの円弧により形成されている。
【００３０】
上記集積部材１３は、コンベアＸから排出される印刷版Ｐの先端を当接させるように上記受け取り部材１２の案内面１２２と所定間隔隔てて対峙する対峙面１３１を備えている。この対峙面１３１は、その上端が下端よりも反コンベアＸ側に位置するように若干傾斜した状態で立設されている。また、上記集積部材１３は、上記対峙面１３１に先端が当接した印刷版Ｐをその自重により案内面１２２に沿わせながら上記対峙面１３１に立てかけた状態で集積する集積部１３２を対峙面１３１の下端に備えている。更に、上記対峙面１３１の下端部には、集積部１３２に受け取られた印刷版Ｐを対峙面１３１に積極的に沿わせるように凹状に湾曲する湾曲部１３３が設けられている。
【００３１】
そして、図３にも示すように、上記受け取り部材１２は、印刷版ストック装置本体１１に対し印刷版Ｐの排出方向と直行する方向（図３では左右方向）に延びる回転支点１２３回りに回転自在に支持されている。上記受け取り部材１２の左右両側面には、先端にネジ部を有するピン１２４（図２では一方の面のもののみ示す）が突設されている。また、図４および図５に示すように、上記ピン１２４の回転軌跡上に位置する印刷版ストック装置本体１１の左右両側壁には、受け取り部材１２の回転支点１２３回りの回転時に上記ピン１２４を所定の回転範囲内で摺動させる長穴１１２（図４および図５では一方のもののみ示す）が設けられている。上記各ピン１２４のネジ部には、蝶ナット１２５が螺合されるようになっている。そして、上記受け取り部材１２は、各ピン１２４のネジ部に螺合される蝶ナット１２５によって、長穴１１２内の所望する位置で自在に固定され、コンベアＸより排出される印刷版Ｐの排出方向長さまたは厚みに応じて該印刷版Ｐを沿わせる受け取り面１２１の受け取り角度が変更されるようになっている。この場合、受け取り部材１２が長穴１１２内のほぼ中間位置（図２に示す位置）で固定されているときには、コンベアＸから排出される長さ４４０ｍｍ〜６７０ｍｍ程度の範囲でかつ厚さ０．１ｍｍ〜０．３ｍｍ程度の印刷版Ｐを円滑に受け取れるように設定されている。
【００３２】
また、図６に示すように、上記集積部１３２は、集積部材１３の対峙面１３１に対し上下方向に移動自在に取り付けられている。印刷版ストック装置本体１１の左右両側壁の下部には、上下方向３箇所のネジ挿通穴１１３，…（図２では一方のもののみ示す）が設けられている。また、上記集積部材１３の集積部１３２には、印刷版ストック装置本体１１の左右両側壁下部の各ネジ挿通穴１１３を介して挿通された蝶ネジ１３４（図６では一方のもののみ示す）を螺合するネジ穴１３５が設けられている。そして、上記集積部１３２は、印刷版ストック装置本体１１の所望するネジ挿通穴１１３を介して挿通された蝶ネジ１３４がネジ穴１３５に螺合されることによって、印刷版ストック装置本体１１に対し所望する高さ位置で自在に固定され、コンベアＸより排出される印刷版Ｐの排出方向長さまたは厚みに応じて集積部材１３の対峙面１３１に対する高さ位置が変更されるようになっている。
【００３３】
この場合、図１に示すように、最下端のネジ挿通穴１１３を介して挿通された蝶ネジ１３４によって集積部１３２が固定されているときには、コンベアＸから排出される長さ６００ｍｍ以上でかつ厚さ０．１ｍｍ〜０．３ｍｍ程度の範囲の印刷版Ｐを円滑に受け取れるように設定されている。また、コンベアＸから排出される印刷版Ｐの長さが６００ｍｍよりも短くかつ厚さが０．３ｍｍよりも厚いものである場合には、図２に一点鎖線で示すように、集積部１３２を左右逆転させた状態で中央位置のネジ挿通穴１１３を介して挿通された蝶ネジ１３４によって集積部１３２を固定することで、集積部材１３の対峙面１３１に対する集積部１３２の高さ位置を上方に変更するようにしている。なお、最上端のネジ挿通穴１１３に蝶ネジ１３４によって集積部１３２を固定する場合も同様にして行われる。
【００３４】
更に、受け取り部材１２の受け取り面１２１および案内面１２２、並びに集積部材１３の対峙面１３１および集積部１３２の印刷版支持面には、樹脂製の被膜が貼着されており、コンベアＸから排出された印刷版Ｐの案内および保護が円滑になされるようにしている。
【００３５】
この場合、受け取り部材１２の案内面１２２と集積部材１３の対峙面１３１との間は最小で２０ｍｍの間隔が確保されるようになっており、コンベアＸから約３分間隔で順に排出されるワンカートンで５０版の印刷版Ｐの全てが対峙面１３１に立てかけられた状態で集積部１３２に順次集積されるようになっている。
【００３６】
したがって、上記実施例では、コンベアＸからほぼ水平に排出された印刷版Ｐは、受け取り部材１２に対し斜め下方に向かって凸状に湾曲する受け取り面１２１上に沿わせた状態で受け取られ、コンベアＸから排出される印刷版Ｐの先端が集積部材１３の対峙面１３１に当接すると、上記受け取り部材１２の案内面１２２に沿いながら上記対峙面１３１との間を通って自重により下方に案内され、対峙面１３１に立てかけられた状態で集積部１３２に支持される。そして、次にコンベアＸから排出された印刷版Ｐは、同様に受け取り部材１２の受け取り面１２１上に沿わせた状態で受け取られ、先に対峙面１３１に立てかけた状態で支持されている印刷版Ｐの反印刷側面（裏面）に次の印刷版Ｐの先端が当接すると、上記受け取り部材１２の案内面１２２に沿いながら上記先の印刷版Ｐの反印刷側面（対峙面１３１）との間を通って自重により下方に案内され、先の印刷版Ｐの反印刷側面（対峙面１３１）に立てかけた状態で集積部１３２に支持されて順次集積されることになる。
【００３７】
これにより、コンベアから排出された印刷版がほぼ水平な状態で受渡し台上に受け渡されるもののように、コンベア下流側において受渡し台（印刷版）のコンベア排出方向長さ分といった非常に長いスペースを必要とはせず、印刷版Ｐが受け取り面１２１の斜め下方への湾曲に沿って受け取られるために受け取り部材１２のコンベアＸ排出方向長さが短いものとなり、印刷版ストック装置１の設置スペースのコンパクト化を図ることができる。
【００３８】
加えて、コンベアＸから排出された印刷版Ｐは、その先端が集積部材１３の対峙面１３１に当接すると、自重によって案内面１２２に沿いながら対峙面１３１との間を通って下方に案内されて、対峙面１３１に立てかけられた状態で集積部１３２に支持されることにより、受渡し台を旋回させるもののように受渡し台駆動手段などの駆動源を必要とはせず、構造が簡単になってコストの低廉化を図ることができる上、省エネルギー化を図ることもできる。
【００３９】
そして、コンベアＸより排出される印刷版Ｐの排出方向長さが６７０ｍｍよりも長い場合または印刷版Ｐの厚みが０．３ｍｍよりも厚い場合には、図５に示すように、受け取り面１２１の受け取り角度を下向きに変更するように受け取り部材１２を回転支点１２３回りに下方（図２では反時計回り）に回転させて長穴１１２内の下部位置に固定したり、集積部１３２の高さ位置を低く変更するように集積部１３２を下方に移動させて最下端のネジ層通穴１１３に蝶ネジ１３４で固定したりすることによって、次にコンベアＸから排出された印刷版Ｐが受け取り部材１２の受け取り面１２１上に沿った状態で受け取られると、先に対峙面１３１に立てかけた状態で支持されている印刷版Ｐの反印刷側面（裏面）に次の印刷版Ｐの先端が確実に当接することになり、受け取り部材１２の案内面１２２に沿いながら上記先の印刷版Ｐの反印刷側面（対峙面１３１）との間を通って自重により下方に案内されて、先の印刷版Ｐの反印刷側面（対峙面１３１）に立てかけた状態で次の印刷版Ｐを集積部１３２に支持させて円滑に集積することができる。この場合、受け取り面１２１の受け取り角度を上向きに変更するように受け取り部材１２を回転支点１２３回りに回転させることによって、受け取り部材１２の案内面１２１と集積部材１３の対峙面１３１との間隔が狭くなるものの、厚みの薄い印刷版Ｐが対峙面１３１に立てかけられた状態で円滑に集積部１３２に集積されることになる。
【００４０】
一方、コンベアＸより排出される印刷版Ｐの排出方向長さが４４０ｍｍよりも短い場合または印刷版の厚みが０．１ｍｍよりも薄い場合には、図４に示すように、受け取り面１２１の受け取り角度を上向きに変更するように受け取り部材１２を回転支点１２３回りに上方（図２では時計回り）に回転させて長穴１１２内の上部位置に固定したり、集積部１３２の高さ位置を高く変更するように集積部１３２を左右逆転させた状態で上方に移動させて中央部または最上端のネジ層通穴１１３に蝶ネジ１３４で固定したりすることによって、次にコンベアＸから排出された印刷版Ｐが受け取り部材１２の受け取り面１２１上に沿った状態で受け取られると、先に対峙面１３１に立てかけた状態で支持されている印刷版Ｐの反印刷側面（裏面）に次の印刷版Ｐの先端が確実に当接することになり、受け取り部材１２の案内面１２２に沿いながら上記先の印刷版Ｐの反印刷側面との間を通って自重により下方に案内されて、先の印刷版Ｐの反印刷側面に立てかけた状態で次の印刷版Ｐを集積部１３２に支持させて円滑に集積することができる。この場合、受け取り面１２１の受け取り角度を下向きに変更するように受け取り部材１２を回転支点１２３回りに回転させることによって、受け取り部材１２の案内面１２２と集積部材１３の対峙面１３１との間隔が広くなり、厚みの厚い印刷版Ｐが対峙面１３１に立てかけられた状態で円滑に集積部１３２に集積されることになる。
【００４１】
また、集積部１３２に支持された印刷版Ｐを対峙面１３１に沿わせるように凹状に湾曲する湾曲部１３３が集積部材１３の対峙面１３１の下端部に設けられているので、集積部１３２に支持された印刷版Ｐを、対峙面１３１下端部の湾曲部１３３によって対峙面１３１に沿って倒れ込むように立てかけた状態で集積部１３２に効率よく集積することができる。
【００４２】
更に、印刷版ストック装置本体１１自体を転動自在とするキャスタ１１１，…が印刷版ストック装置本体１１の下面四隅に設けられているので、集積部１３２に集積されたワンカートンで５０版の印刷版Ｐを台車などに載せ替えて移動させる必要がなく、反コンベアＸ側の左右のキャスタ１１１，１１１のストッパ機能による固縛を解除すれば、印刷版ストック装置本体１１自体を印刷現場などの所望する場所にそのまま移動させることができる。
【図面の簡単な説明】
【００４３】
【図１】本発明の実施例に係る印刷版ストック装置を側方から見た斜視図である。
【図２】印刷版ストック装置の側面図である。
【図３】印刷版ストック装置を受け取り部材側から見た正面図である。
【図４】受け取り部材を上方に移動させた状態を示す長穴付近の斜視図である。
【図５】受け取り部材を下方に移動させた状態を示す長穴付近の斜視図である。
【図６】集積部材を下方に移動させて最下端のネジ層通穴に蝶ネジで固定した状態を示す集積部付近の斜視図である。
【符号の説明】
【００４４】
１      印刷版ストック装置
１１    印刷版ストック装置本体
１１１  キャスタ（滑車）
１２    受け取り部材
１２１  受け取り面
１２２  案内面
１２３  回転支点
１３    集積部材
１３１  対峙面
１３２  集積部
１３３  湾曲部
Ｐ      印刷版
Ｘ      コンベア
【図１】
2005067768.tif 000003
【図２】
2005067768.tif 000004
【図３】
2005067768.tif 000005
【図４】
2005067768.tif 000006
【図５】
2005067768.tif 000007
【図６】
2005067768.tif 000008